(57)【要約】【課題】光源と拡散シートの間の部品バラツキを考慮した隙間を無くすことで、第１の拡散シートと第２の拡散シートとのスペースを最大現に確保し、拡散効果を最大限に活用して透過性を有する表示板の表示面の照度分布を均一化した表示装置及びそれを備えた画像形成装置を提供することを目的とする。【解決手段】透光性を有する表示板１４と、表示板１４の下方に設けられた光源１７と、光を表示板１４の背面に拡散させるべく表示板１４下方に設けられた第１の拡散シート１５ａと、光源１７が発する光を拡散させるべく光源１７の上方に設けられた第２の拡散シート１８ａとを有し、第２の拡散シート１８ａを上下摺動可能に支持して、第２の拡散シートを光源に密着して配置した構成としたものである。【選択図】図１
2007333843.tif 000002
【特許請求の範囲】
【請求項１】
透光性を有する表示板と、前記表示板の下方に設けられた光源と、光を前記表示板の背面に拡散させるべく前記表示板の下方に設けられた第１の拡散シートと、前記第１の拡散シートの下に配置され、前記光源が発する光を拡散させるべく光源の上方に設けられた第２の拡散シートとを有し、前記第２の拡散シートを前記光源に密着して配置したことを特徴とする表示装置。
【請求項２】
前記第２の拡散シートを略円形とし、これを内包する略円筒状のガイドを設け、前記ガイド内で前記第２の拡散シートを上下摺動可能に支持して、前記第２の拡散シートを前記光源に密着し配置したことを特徴とする請求項１に記載の表示装置。
【請求項３】
前記第１の拡散シートと前記第２の拡散シートは曲面形状で形成されたものとし、前記第２の拡散シートは、光源より発せられた光が入射する側を凹面とし、前記第１の拡散シートは前記第２の拡散シートより発せられた光が入射する側を凹面としたことを特徴とする請求項１に記載の表示装置。
【請求項４】
請求項１ないし請求項３のいずれかに記載の表示装置を備えたことを特徴とする画像形成装置。
【発明の詳細な説明】
【技術分野】
【０００１】
本発明は、表示装置及び表示装置を備えた画像通信機器ならびにデジタル複写機等の画像形成装置に関するものである。
【背景技術】
【０００２】
近年、複写機等の画像形成装置においてはユーザーフレンドリーの観点より、各操作部の高さや幅等にある程度の制約が求められている。例えば、図３に示すような従来の画像形成装置１にあっては印刷後の紙を取り易くするために、インナー排紙スペース２を広げる傾向にある。インナー排紙スペースを確保するためにインナー排紙カバーの上面３は下方向に、スキャナユニットの下面４は上方向に移動させて拡げる必要があるが、自動原稿送り装置（Ａｕｔｏ  Ｄｏｃｕｍｅｎｔ  Ｆｅｅｄｅｒ、以下ＡＤＦと略す）の操作部５を余り高い位置にはできず、おのずと上限がある。したがってこれらの制限により、インナー排紙スペース２とＡＤＦに挟まれた空間にある液晶表示部６はより一層の薄型化が要求される。
【０００３】
また、従来の画像通信機や複写機等の表示装置として、その背面から照光するようにしたバックライト透過型液晶パネルが一般に用いられている。このバックライトを用いた従来の液晶表示装置は、例えば図４に示すように透光性を有する表示板７と、表示板７の側方に設けられた光源８と、光源８が発する光を表示板７の背面に拡散させるべく表示板７と光源８との間に設けられた反射板９と、反射板９で反射した光を表示板７の背面に拡散させるべく表示板７と反射板９との間に設けられた第１の拡散シート１０と、光源８が発する光を反射板９へと拡散させるべく反射板９と光源８との間に設けられた第２の拡散シート１１とを備えている。
【０００４】
この従来の液晶表示装置１２において、光源８から照射されたスポット光は第２の拡散シート１１の拡散作用によって反射板９に向けて拡散された後、反射板９によって反射され、反射拡散光として第１の拡散シート１０に到達する。そして反射板９からの反射拡散光は第１の拡散シート１０の拡散作用によってさらに拡散されて表示板７の背面に照射されることとなる。このため収束光を発するＬＥＤ等の光源を採用しても、表示板７の照光面における照度分布は均一化が図られている。また第１の拡散シート１０と第２の拡散シート１１は一体形成されており、取り付け工数の削減が図られるようになっている。なお、表示板７の側方からの光線を反射させて表示板７の背面に照射するようにしているのは十分な光路長を確保した上で表示装置を薄型化するためである（例えば、特許文献１参照）。
【特許文献１】特開２００３−３３０３９３号公報
【発明の開示】
【発明が解決しようとする課題】
【０００５】
しかしながら上記従来の構成では、反射板を用いて光の照度分布を均一化するようにしているため、反射板の構成部材が必要となりコストアップとなる。また、反射板を用いることで薄型化を図っているが、幅方向へのスペースを必要とする問題が生じている。また、第１の拡散シートと第２の拡散シートが一体に形成され、かつ光源も同様に固定されているため、各取付けのバラツキ及び各部品の公差を考慮して各構成部材間に隙間が設けられた設計となっている。しかしながら一般的に用いられる光源のＬＥＤは収束性を有しているため、ＬＥＤと拡散シートの間に設けられた隙間では拡散効果が十分に得られず、非効率的であった。即ち、従来の技術は照度分布の均一化が図れる一方で、構成部材が増えてコストアップとなり、さらには光源からの光の拡散効果が不十分で非効率的となってい
た。
【０００６】
本発明は、上記従来の課題を解決するもので、例えばＬＥＤなどの光源と拡散シートの間の部品バラツキを考慮した隙間を無くし、光源と第２の拡散シートを密着することで、第１の拡散シートと第２の拡散シートとのスペースを最大現に確保し、拡散効果を最大限に活用して透過性を有する表示板の表示面の照度分布を均一化した表示装置及びそれを備えた画像形成装置を提供することを目的とする。
【課題を解決するための手段】
【０００７】
上記課題を解決するために本発明の表示装置は、透光性を有する表示板と、表示板の下方に設けられた光源と、光を表示板の背面に拡散させるべく表示板の下方に設けられた第１の拡散シートと、第１の拡散シートの下に配置され、光源が発する光を拡散させるべく光源の上方に設けられた第２の拡散シートとを有し、第２の拡散シートを上下摺動可能に支持して、第２の拡散シートを前記光源に密着して配置した構成としたものである。
【０００８】
この構成により、光源から照射されたスポット光は、第２の拡散シートとの間に隙間が無いため、すぐさま第２の拡散シートを通過して拡散することができ、拡散された光は第１の拡散シートに到達する。そして第１の拡散シートによってさらに拡散されて表示板の背面に照射されることとなる。このため第２の拡散シートから第１の拡散シートへの距離を最大限に活用することができ、拡散効果が十分に得られて収束光を発する光源を採用しても表示板の照光面における照度分布の均一化を実現し得るといったような作用を有することとなる。
【０００９】
また本発明の表示装置は、第２の拡散シートを略円形とし、これを内包する円筒状のガイドを設けた構成としたものである。したがって第２の拡散シートは円筒状のガイドに沿って上下方向の摺動が容易となり常に光源上方に接するように配置することができるという作用を有する。
【００１０】
また本発明の表示装置は、第１の拡散シートと第２の拡散シートは曲面形状で形成されたものとし、第２の拡散シートは、光源より発せられた光が入射する側を凹面とし、第１の拡散シートは第２の拡散シートより発せられた光が入射する側を凹面とした構成としたものである。したがって入射した光は曲面に沿った形で広がるので、平面の場合より広範囲に拡散することができより一層拡散効果を高めることが出来るといった作用を有する。
【００１１】
さらに本発明の画像形成装置は、上記した表示装置を備えた画像形成装置として構成としたものである。したがって表示装置の構成部がコンパクトに、かつ光の拡散効果が十分に得られるため、インナー排紙スペースを広く確保できるといった作用を有する。
【発明の効果】
【００１２】
本発明の表示装置及び表示装置を備えた画像形成装置は上記構成を備えたことにより、光源から照射されたスポット光は、第２の拡散シートとの間に隙間が無いためすぐさま第２の拡散シートを通過して拡散することができ、拡散された光は第１の拡散シートに到達する。そして第１の拡散シートによってさらに拡散されて表示板の背面に照射される。このため第２の拡散シートから第１の拡散シートへの距離を最大限に活用することができ、拡散効果が十分に得られて収束光を発する光源を採用しても表示板の照光面における照度分布の均一化を実現できる。また第１の拡散シートと第２の拡散シートは、光源より発せられた光が入射する側を凹面の曲面形状で形成されているため、光は曲面に沿った形で広がるので、平面の場合より広範囲に拡散することができより一層拡散効果を高めることが出来る。さらには表示装置の構成部がコンパクトに、かつ光の拡散効果が十分に得られる構成のため、画像形成装置のインナー排紙スペースを広く確保できるといったような多く
の効果が得られる。
【発明を実施するための最良の形態】
【００１３】
（実施の形態１）
以下本発明の第一の実施の形態について、図面を参照しながら説明する。図１は、本発明による表示装置の基本的な構成を示す断面図である。表示装置１３ａは、例えば液晶パネルや操作キーといった透過性を有する表示板１４と、表示板１４の背面下方に配置されている第１の拡散シート１５ａと、基板１６と、基板１６上に設けられた例えば収束光を発する複数のＬＥＤからなる光源１７と、光源１７から発せられた光を拡散させるべく光源１７の直上に接するように設けられた第２の拡散シート１８ａと、第２の拡散シート１８ａが上下に摺動して移動可能なようにガイドするために設けられたガイド１９とからなっている。第２の拡散シート１８ａはガイド１９の内側で摺動して移動するので常に光源１７の直上に接していることになり、光源１７と第２の拡散シート１８ａ間の隙間ロスが回避され第２の拡散シート１８ａから第１の拡散シート１５ａへの距離が最大限確保されて拡散効果を最大限に活用することができる構成としている。第１の拡散シート１５ａと第２の拡散シート１８ａは、比較的良好な拡散特性を備えるポリエステルシート等で形成されている。
【００１４】
このように構成された表示装置1３ａにあっては、複数のＬＥＤからなる光源１７が発する照明光は直進性及び収束性を有しているが、前段の第２の拡散シート１８ａを通過する際に、第２の拡散シート１８ａの拡散作用によって拡散された後、後段の第１の拡散シート１５ａを通過する際に第１の拡散シート１５ａの拡散作用によってさらに拡散され、表示板１４の背面に照射される。このようにして収束性の高い点光源でも表示板１４の照光面の照度分布を均一化し得るので比較的安価なＬＥＤを光源として採用することが出来る。
【００１５】
なお、第２の拡散シート１８ａの平面の形を略円形とし、これを内包するガイド１９の平面の形を略円筒状のガイドとして、ガイド１９内で第２の拡散シート１８ａを上下摺動可能に支持して、第２の拡散シート１８ａを光源１７に密着させている。光源１７がＬＥＤのような点光源であるときには、このように第２の拡散シート１８ａの平面の形を略円形とし、これを内包するガイド１９の平面の形を略円筒状のガイドとすることで、光を均一に拡散することができる。
【００１６】
（実施の形態２）
次に本発明の第２の実施の形態について説明する。図２は、本発明の第２の実施の形態に係る表示装置の基本的な構成を示す断面図であり、前段の第２の拡散シート１８ｂと後段の第１の拡散シート１５ｂは、曲面形状で形成されている。前段の第２の拡散シート１８ｂは、光源より発せられた光が入射する側を凹面とし、後段の第１の拡散シート１５ｂは、前段の第２の拡散シート１８ｂより発せられた光が入射する側を凹面とした構成としたものである。
【００１７】
このように構成された表示装置１３ｂにあっては、前段の第２の拡散シート１８ｂと後段の第１の拡散シート１５ｂは、曲面形状で形成されていることによって適度に湾曲した表面を有することにより、光源より発せられた光が凹面側に入射されて反対側の外周を飛び出す際にさらなる光拡散効果を得ることが出来る。これを２段構成としたことで後段の第１の拡散シート１５ｂよりの出射光は平面の場合より広範囲に拡散されて幅広く表示板１４に照射されることになると共に、照度分布も均一化されることになる。
【００１８】
上記した表示装置１３ｂは、複写機等の画像形成装置の液晶表示部に適用すれば、画像形成装置の利便性をより一層高めることができる。
【産業上の利用可能性】
【００１９】
本発明の表示装置及びそれを備えた画像形成装置によれば、上記した表示装置を使用する機器全般について有用であり、特には小型化が要求されるフアクシミリ装置やプリンタを搭載したデジタル複合機ならびに画像形成装置等に有用である。
【図面の簡単な説明】
【００２０】
【図１】本発明の第１の実施の形態に係る表示装置の基本的構成を示す断面図
【図２】本発明の第２の実施の形態に係る表示装置の基本的構成を示す断面図
【図３】従来の画像形成装置の概念的な側面図
【図４】従来の表示装置の構成を示す断面図
【符号の説明】
【００２１】
１    画像形成装置
２    インナー排紙スペース
６    液晶表示部
１４    表示板
１５ａ、１５ｂ    第１の拡散シート
１６    基板
１７    光源
１８ａ、１８ｂ    第２の拡散シート
１９    ガイド
【図１】
2007333843.tif 000003
【図２】
2007333843.tif 000004
【図３】
2007333843.tif 000005
【図４】
2007333843.tif 000006